(57)【要約】【課題】取付対象物の意図しない外れを抑制できる照明器具を提供する。【解決手段】実施形態によれば、器具本体と光源とを備えた照明器具が提供される。器具本体は、長尺状であり、長尺状の取付対象物を支持する。光源は、器具本体と取付対象物との少なくとも一方に設けられる。器具本体は、筐体と取付部材と規制部材とを含む。筐体は、長尺状の底板部と、底板部の長手方向と直交する幅方向の両端から延びる一対の側板部と、を有し、底板部と一対の側板部とで囲まれた領域内に取付対象物の少なくとも一部を収容する。取付部材は、幅方向において互いに対向する一対の係合部を有し、領域内に収容された取付対象物に一対の係合部を係合させて、取付対象物を筐体に取り付ける。規制部材は、取付部材に対する取付対象物の幅方向の位置を規制する。【選択図】図１
2015035274.tif 000002
【特許請求の範囲】
【請求項１】
長尺状の取付対象物を支持する長尺状の器具本体と；
前記器具本体と前記取付対象物との少なくとも一方に設けられた光源と；
を備え、
前記器具本体は、
長尺状の底板部と、前記底板部の長手方向と直交する幅方向の両端から延びる一対の側板部と、を有し、前記底板部と前記一対の側板部とで囲まれた領域内に前記取付対象物の少なくとも一部を収容する筐体と、
前記幅方向において互いに対向する一対の係合部を有し、前記領域内に収容された前記取付対象物に前記一対の係合部を係合させて、前記取付対象物を前記筐体に取り付ける取付部材と、
前記取付部材に対する前記取付対象物の前記幅方向の位置を規制する規制部材と、
を含むことを特徴とする照明器具。
【請求項２】
前記取付部材と前記規制部材とは、前記底板部の前記領域と反対側の面に取り付けられることを特徴とする請求項１記載の照明器具。
【請求項３】
前記取付部材と前記規制部材との少なくとも一方には、前記反対側の面と対向する部分に、前記領域と反対の方向に向かって突出する突起部が設けられていることを特徴とする請求項２記載の照明器具。
【請求項４】
前記規制部材は、前記長手方向に並ぶ複数の前記突起部を有し、前記底板部の前記反対側の面上に取り付けられ、
前記取付部材は、前記規制部材の上に取り付けられ、複数の前記突起部の間に配置されることを特徴とする請求項３記載の照明器具。
【請求項５】
前記器具本体は、前記長手方向の両端付近と、前記長手方向の中央付近と、に配置された少なくとも３つの前記取付部材と前記規制部材とを含むことを特徴とする請求項１〜４のいずれか１つに記載の照明器具。
【発明の詳細な説明】
【技術分野】
【０００１】
本発明の実施形態は、照明器具に関する。
【背景技術】
【０００２】
光源モジュールやカバーなどの取付対象物を器具本体に支持させる照明器具がある。照明器具は、例えば、室内や外壁などの照明に用いられる。こうした照明器具において、取付対象物が、意図せず器具本体から外れてしまうことを抑制することが望まれる。
【先行技術文献】
【特許文献】
【０００３】
【特許文献１】特開２０１２−３９９３号公報
【発明の概要】
【発明が解決しようとする課題】
【０００４】
本発明の実施形態は、取付対象物の意図しない外れを抑制できる照明器具を提供する。
【課題を解決するための手段】
【０００５】
本発明の実施形態によれば、器具本体と、光源と、を備えた照明器具が提供される。前記器具本体は、長尺状であり、長尺状の取付対象物を支持する。前記光源は、前記器具本体と前記取付対象物との少なくとも一方に設けられる。前記器具本体は、筐体と、取付部材と、規制部材と、を含む。前記筐体は、長尺状の底板部と、前記底板部の長手方向と直交する幅方向の両端から延びる一対の側板部と、を有し、前記底板部と前記一対の側板部とで囲まれた領域内に前記取付対象物の少なくとも一部を収容する。前記取付部材は、前記幅方向において互いに対向する一対の係合部を有し、前記領域内に収容された前記取付対象物に前記一対の係合部を係合させて、前記取付対象物を前記筐体に取り付ける。前記規制部材は、前記取付部材に対する前記取付対象物の前記幅方向の位置を規制する。
【発明の効果】
【０００６】
取付対象物の意図しない外れを抑制した照明器具が提供される。
【図面の簡単な説明】
【０００７】
【図１】図１（ａ）及び図１（ｂ）は、第１の実施形態に係る照明器具を模式的に表す斜視図である。
【図２】図２（ａ）及び図２（ｂ）は、第１の実施形態に係る光源モジュールを模式的に表す斜視図である。
【図３】第１の実施形態に係る光源モジュールを模式的に表す分解斜視図である。
【図４】図４（ａ）及び図４（ｂ）は、第１の実施形態に係る光源モジュールを模式的に表す断面図である。
【図５】第１の実施形態に係る光源モジュールの一部を拡大して模式的に表す部分斜視図である。
【図６】第１の実施形態に係る照明器具を模式的に表す断面図である。
【図７】第１の実施形態に係る照明器具の一部を表す模式図である。
【図８】第１の実施形態に係る照明器具の一部を模式的に表す平面図である。
【図９】第１の実施形態に係る照明器具の一部を模式的に表す部分断面図である。
【図１０】図１０（ａ）〜図１０（ｃ）は、第１の実施形態に係る照明器具の一部を模式的に表す平面図である。
【図１１】第２の実施形態に係る照明器具を模式的に表す断面図である。
【発明を実施するための形態】
【０００８】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）  
図１（ａ）及び図１（ｂ）は、第１の実施形態に係る照明器具を模式的に表す斜視図である。  
図１（ａ）及び図１（ｂ）に表したように、照明器具１０は、器具本体１２と、光源２６（図３参照）と、を備える。器具本体１２は、取付対象物である長尺状の光源モジュール１４を支持する。この例では、光源モジュール１４に光源２６が設けられる。なお、図１（ｂ）は、光源モジュール１４を取り外した状態を図示している。
【００１０】
光源モジュール１４は、光源２６から放出される光を照射する。照明器具１０は、例えば、光源モジュール１４を下方に向けた状態で室内の天井に取り付けられる。照明器具１０は、光源モジュール１４から照射される光によって、室内を照明する。なお、照明器具１０は、天井に限ることなく、例えば、壁面などに取り付けてもよい。照明器具１０は、例えば、屋外の照明などに用いてもよい。器具本体１２は、例えば、ネジなどによって天井に取り付けられる。このように、器具本体１２は、光源モジュール１４の支持に用いられるとともに、天井などへの照明器具１０の取り付けに用いられる。
【００１１】
器具本体１２には、例えば、電源装置１５と、端子台１６と、が設けられる。電源装置１５、端子台１６は、例えば、ネジ止めなどにより、器具本体１２に取り付けられる。
【００１２】
電源装置１５は、例えば、外部から供給される電力を光源モジュール１４に対応した電圧または電流に変換して、光源モジュール１４に供給する。光源モジュール１４は、電源装置１５からの電力供給に応じて光源２６を点灯させ、光を照射する。電源装置１５は、例えば、照明器具１０とは別に設けてもよい。
【００１３】
端子台１６は、例えば、外部の電源と電源装置１５との間の電気的な接続や、電源装置１５と各光源２６との間の電気的な接続などに用いられる。
【００１４】
また、器具本体１２には、例えば、照明器具１０を天井などに取り付けるための金具（例えば、ネジ）や電源装置１５に電力を供給する電源ケーブルなどを通すための複数の開口が設けられる。
【００１５】
図２（ａ）及び図２（ｂ）は、第１の実施形態に係る光源モジュールを模式的に表す斜視図である。  
図３は、第１の実施形態に係る光源モジュールを模式的に表す分解斜視図である。  
図４（ａ）及び図４（ｂ）は、第１の実施形態に係る光源モジュールを模式的に表す断面図である。  
図５は、第１の実施形態に係る光源モジュールの一部を拡大して模式的に表す部分斜視図である。  
図２〜図５に表したように、光源モジュール１４は、支持体２１と、カバー２２と、保持部材２３と、を備える。
【００１６】
支持体２１は、基板２５を支持する。基板２５は、第１面２５ａと、第２面２５ｂと、を有する。第２面２５ｂは、第１面２５ａと反対側の面である。支持体２１は、第２面２５ｂ側から基板２５を支持する。基板２５は、接着などによって支持体２１に固定してもよいし、ネジ止めなどによって着脱可能に支持体２１に取り付けてもよい。支持体２１は、基板２５を着脱可能に支持してもよい。
【００１７】
基板２５には、光源２６が設けられている。基板２５には、例えば、複数の光源２６が設けられる。各光源２６は、基板２５の第１面２５ａに並べて配置される。基板２５には、例えば、図示を省略した配線層が設けられ、配線層を介して各光源２６のそれぞれが、互いに電気的に接続される。光源２６の数は、任意でよい。光源２６の数は、例えば、１つでもよい。
【００１８】
光源２６には、例えば、発光ダイオード（Light Emitting Diode：ＬＥＤ）が用いられる。光源２６は、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでもよい。光源２６は、例えば、電球などでもよい。
【００１９】
カバー２２は、支持体２１に取り付けられ、支持体２１に支持された基板２５を覆う。カバー２２は、例えば、外力や塵埃などから基板２５及び各光源２６を保護する。カバー２２は、光透過性を有する。カバー２２は、各光源２６の放出する光に対して光透過性である。カバー２２は、例えば、透明である。カバー２２は、例えば、光拡散性を有してもよい。カバー２２には、例えば、光透過性の樹脂材料が用いられる。
【００２０】
保持部材２３は、カバー２２を支持体２１に保持する。すなわち、保持部材２３は、カバー２２を支持体２１から外れないようにする。光源モジュール１４には、例えば、複数の保持部材２３が設けられる。この例では、３つの保持部材２３が設けられる。保持部材２３の数は、任意でよい。保持部材２３の数は、例えば、１つまたは２つでもよいし、４つ以上でもよい。
【００２１】
支持体２１は、第１部分３１と、第２部分３２と、第３部分３３と、を有する。第１部分３１は、第１方向に延びる表面３１ａと、表面３１ａと反対側の裏面３１ｂと、を有する。第１部分３１は、板状である。第１部分３１は、例えば、第１方向に長い長尺な板である。この例では、表面３１ａ及び裏面３１ｂが、略長方形状である。表面３１ａの形状及び裏面３１ｂの形状は、長方形状に限ることなく、第１方向に延びる任意の形状でよい。また、この例では、裏面３１ｂが、表面３１ａに対して実質的に平行である。
【００２２】
以下では、図中矢線Ｘで表す、第１方向に対して平行な方向（Ｘ軸方向）を「長手方向」と称す。図中矢線Ｙで表す、表面３１ａに対して平行で長手方向と直交する方向（Ｙ軸方向）を「幅方向」と称す。図中矢線Ｚで表す、長手方向及び幅方向と直交する方向（Ｚ軸方向）を「高さ方向」と称す。高さ方向は、表面３１ａに対して垂直な方向である。
【００２３】
第２部分３２は、裏面３１ｂの長手方向に延びる一方の側端３１ｐに設けられる。第２部分３２は、裏面３１ｂの向く方向に延びる。換言すれば、第２部分３２は、表面３１ａから裏面３１ｂに向かう方向に延びる。
【００２４】
第３部分３３は、裏面３１ｂの長手方向に延びる他方の側端３１ｑに設けられる。第３部分３３は、裏面３１ｂの向く方向に延びる。
【００２５】
この例において、支持体２１を長手方向に見た形状は、略Ｕ字状である。第２部分３２及び第３部分３３は、いわゆるリブである。支持体２１を長手方向に見た形状は、例えば、Ｈ字状でもよい。すなわち、第２部分３２及び第３部分３３は、裏面３１ｂの向く方向に少なくとも延びていればよく、表面３１ａの向く方向にさらに延びてもよい。この例では、第２部分３２及び第３部分３３が、裏面３１ｂに対して実質的に垂直な方向に延びる。第２部分３２及び第３部分３３は、裏面３１ｂに対して傾斜してもよい。支持体２１には、例えば、鉄、アルミニウム、または、ステンレスなどの金属材料が用いられる。支持体２１は、例えば、金属板を折り曲げ加工することによって形成される。
【００２６】
また、この例では、支持体２１において、裏面３１ｂの一方の側端３１ｐに沿って長手方向に延びる１つの第２部分３２が設けられている。裏面３１ｂの他方の側端３１ｑに沿って長手方向に延びる１つの第３部分３３が設けられている。これに限ることなく、例えば、長手方向に並ぶ複数の第２部分３２を設けてもよいし、長手方向に並ぶ複数の第３部分３３を設けてもよい。
【００２７】
支持体２１は、表面３１ａで基板２５を支持する。基板２５は、表面３１ａの上に設けられる。支持体２１は、基板２５の第１面２５ａを表面３１ａの向く方向に向けて、基板２５を支持する。これにより、表面３１ａの向く方向に、光が照射される。
【００２８】
また、表面３１ａの幅（幅方向の長さ）は、基板２５の幅よりも長い。このため、表面３１ａの長手方向に延びる一方の端部３１ｍ、及び、表面３１ａの長手方向に延びる他方の端部３１ｎは、基板２５を支持した状態においても、基板２５に覆われない。
【００２９】
カバー２２は、本体部４０と、第１当接部４１と、第２当接部４２と、第１係合部４３と、第２係合部４４と、を有する。
【００３０】
本体部４０は、表面３１ａに支持された基板２５の第１面２５ａと対向し、基板２５を覆う。本体部４０は、例えば、第１面２５ａと対向する第１板部４０ａと、第１板部４０ａの幅方向の一端から第１面２５ａ側に向けて延びる第２板部４０ｂと、第１板部４０ａの幅方向の他端から第１面２５ａ側に向けて延びる第３板部４０ｃと、を含む。
【００３１】
この例では、第２板部４０ｂ及び第３板部４０ｃが、第１面２５ａに対して傾斜している。第２板部４０ｂ及び第３板部４０ｃは、光源モジュール１４の幅方向において、基板２５側から光源２６の光の出射方向に向けて拡開するように傾斜する傾斜部である。第２板部４０ｂと第３板部４０ｃとの間の幅方向の距離Ｄ１は、第１面２５ａから第１板部４０ａに向かう方向（光の出射方向）において長くなる。第２板部４０ｂと第３板部４０ｃとの間の幅方向の距離Ｄ１は、例えば、第１面２５ａから第１板部４０ａに向かう方向において連続的に増加する。すなわち、第２板部４０ｂ及び第３板部４０ｃは、テーパ状である。本体部４０を長手方向に見た形状は、例えば、扇状である。これにより、例えば、光源モジュール１４を天井に設置した場合に、光源モジュール１４から照射される光の一部が、第２板部４０ｂ及び第３板部４０ｃから天井側に向かうようになる。
【００３２】
第１当接部４１は、本体部４０の幅方向の一端に設けられる。第１当接部４１は、例えば、第２板部４０ｂの第１板部４０ａと反対側の端部に設けられる。第１当接部４１は、表面３１ａの一方の側端３１ｍに当接する。
【００３３】
第２当接部４２は、本体部４０の幅方向の他端に設けられる。第２当接部４２は、例えば、第３板部４０ｃの第１板部４０ａと反対側の端部に設けられる。第２当接部４２は、表面３１ａの他方の側端３１ｎに当接する。
【００３４】
この例では、第１当接部４１及び第２当接部４２が、表面３１ａに直接接している。第１当接部４１及び第２当接部４２は、必ずしも表面３１ａに直接接しなくてもよい。第１当接部４１及び第２当接部４２は、他の部材を挟んで表面３１ａに当接してもよい。
【００３５】
第１係合部４３は、本体部４０の幅方向の一端に設けられる。第１係合部４３は、第２部分３２の高さ方向の端部３２ａに係合し、第１当接部４１とともに第２部分３２を挟む。第１係合部４３は、例えば、外側から第２部分３２を覆う。
【００３６】
第２係合部４４は、本体部４０の幅方向の他端に設けられる。第２係合部４４は、第３部分３３の高さ方向の端部３３ａに係合し、第２当接部４２とともに第３部分３３を挟む。第２係合部４４は、例えば、外側から第３部分３３を覆う。
【００３７】
このように、カバー２２は、表面３１ａ側から支持体２１に被せ、各係合部４３、４４を第２部分３２及び第３部分３３に係合させる。これにより、カバー２２が、支持体２１に取り付けられる。
【００３８】
光源モジュール１４は、一対の側板２７、２８をさらに含む。側板２７は、支持体２１及びカバー２２の長手方向の一端に取り付けられる。側板２８は、支持体２１及びカバー２２の長手方向の他端に取り付けられる。側板２７は、カバー２２の長手方向の一端を閉塞する。側板２８は、カバー２２の長手方向の他端を閉塞する。
【００３９】
保持部材２３は、対向部５０と、第１把持部５１と、第２把持部５２と、を有する。対向部５０は、裏面３１ｂと対向する。対向部５０は、例えば、裏面３１ｂに接する。対向部５０の幅方向の長さは、裏面３１ｂの幅方向の長さと実質的に同じか、僅かに短い程度である。
【００４０】
第１把持部５１は、対向部５０の幅方向の一端に設けられる。第１把持部５１は、第２部分３２と第１係合部４３とを挟んで把持する。第１把持部５１は、例えば、板バネ状であり、第２部分３２と第１係合部４３とを挟むことにより、第１係合部４３の係合が解除されてしまうことを抑制する。
【００４１】
第２把持部５２は、対向部５０の幅方向の他端に設けられる。第２把持部５２は、第３部分３３と第２係合部４４とを挟んで把持する。第２把持部５２は、例えば、板バネ状であり、第３部分３３と第２係合部４４とを挟むことにより、第２係合部４４の係合が解除されてしまうことを抑制する。換言すれば、保持部材２３は、各把持部５１、５２で挟むことにより、カバー２２の開きを抑制する。
【００４２】
このように、保持部材２３は、裏面３１ｂ側から支持体２１に取り付けられ、第２部分３２と第１係合部４３とを第１把持部５１で挟み、第３部分３３と第２係合部４４とを第２把持部５２で挟むことにより、カバー２２を支持体２１に保持する。
【００４３】
第１把持部５１には、第１ストッパ部５３が設けられている。第１ストッパ部５３は、第２部分３２に設けられた第１被係合部３２ｂと係合して、第１把持部５１の裏面３１ｂの向く方向（裏面３１ｂから離間する方向）への移動を規制する。
【００４４】
第２把持部５２には、第２ストッパ部５４が設けられている。第２ストッパ部５４は、第３部分３３に設けられた第２被係合部３３ｂと係合して、第２把持部５２の裏面３１ｂの向く方向への移動を規制する。
【００４５】
対向部５０を裏面３１ｂに接触させた状態で、各ストッパ部５３、５４を係合させる。これにより、保持部材２３が、支持体２１に保持される。保持部材２３が、支持体２１から外れてしまうことが抑制される。従って、カバー２２が、支持体２１により適切に保持される。
【００４６】
この例では、支持体２１に対して３つの保持部材２３が取り付けられる。従って、第２部分３２には、３つの第１被係合部３２ｂが、長手方向に並べて設けられる。第３部分３３には、３つの第２被係合部３３ｂが、長手方向に並べて設けられる。例えば、第１被係合部３２ｂ及び第２被係合部３３ｂの設けられた位置が、保持部材２３の取付位置である。
【００４７】
この例では、第１ストッパ部５３及び第２ストッパ部５４が、外側に向かって突出する略半球状の突起であり、第１被係合部３２ｂ及び第２被係合部３３ｂが、略矩形状の貫通孔である。これとは反対に、第１ストッパ部５３及び第２ストッパ部５４を貫通孔とし、第１被係合部３２ｂ及び第２被係合部３３ｂを突起としてもよい。第１ストッパ部５３、第２ストッパ部５４、第１被係合部３２ｂ及び第２被係合部３３ｂのそれぞれの形状は、保持部材２３の抜けを抑制できる任意の形状でよい。
【００４８】
また、この例では、第１ストッパ部５３及び第２ストッパ部５４のそれぞれが、長手方向に並べて２つ設けられている。第１ストッパ部５３及び第２ストッパ部５４のそれぞれの数は、任意である。第１ストッパ部５３及び第２ストッパ部５４のそれぞれは、１つでもよいし、３つ以上でもよい。
【００４９】
第１把持部５１には、一対の抑え部５１ａと、第１爪部５１ｂと、が設けられている。各抑え部５１ａは、長手方向に並べて設けられる。各抑え部５１ａは、略Ｕ字状に折り曲げられ、第２部分３２と第１係合部４３とを挟む部分である。第１爪部５１ｂは、各抑え部５１ａの間に設けられる。第１爪部５１ｂは、裏面３１ｂと実質的に平行な方向において、対向部５０と反対の方向に向かって突出する。第１爪部５１ｂは、例えば、幅方向において、外側に向かって突出する。
【００５０】
第２把持部５２には、一対の抑え部５２ａと、第２爪部５２ｂと、が設けられている。各抑え部５２ａは、長手方向に並べて設けられる。各抑え部５２ａは、略Ｕ字状に折り曲げられ、第３部分３３と第２係合部４４とを挟む部分である。第２爪部５２ｂは、各抑え部５２ａの間に設けられる。第２爪部５２ｂは、裏面３１ｂと実質的に平行な方向において、対向部５０と反対の方向に向かって突出する。第２爪部５２ｂは、例えば、幅方向において、外側に向かって突出する。
【００５１】
各爪部５１ｂ、５２ｂは、光源モジュール１４の器具本体１２への取り付けに用いられる。このように、保持部材２３は、カバー２２の保持に用いられるとともに、光源モジュール１４の器具本体１２への取り付けにも用いられる。
【００５２】
保持部材２３には、例えば、鉄、アルミニウム、または、ステンレスなどの金属材料が用いられる。保持部材２３には、例えば、樹脂材料などを用いてもよい。但し、保持部材２３には、上記のような金属材料を用いることが好ましい。これにより、例えば、保持部材２３の耐久性を向上させることができる。また、保持部材２３は、例えば、１枚の板材料から形成される。これにより、例えば、部品点数を削減することができる。例えば、光源モジュール１４のコストを抑えることができる。例えば、保持部材２３に樹脂材料を用いる場合、保持部材２３は、射出成形などによって形成された１つの部品であることが好ましい。
【００５３】
光源モジュール１４では、支持体２１に基板２５を支持させた後、各係合部４３、４４を係合させてカバー２２を支持体２１に取り付け、保持部材２３でカバー２２を支持体２１に保持する。そして、側板２７でカバー２２の長手方向の一端を塞ぎ、側板２８でカバー２２の長手方向の他端を塞ぐ。これにより、光源モジュール１４が組み立てられる。
【００５４】
カバー２２は、保持部材２３に限ることなく、例えば、ネジ止めなどによって支持体２１に保持させてもよい。但し、保持部材２３でカバー２２を保持する場合には、工具などを用いることなく、光源モジュール１４を組み立てることができる。例えば、ネジを用いる場合に比べて、光源モジュール１４の組立性を向上させることができる。また、ネジを用いる場合に比べて、部品点数を削減することもできる。例えば、光源モジュール１４をコストダウンできる。
【００５５】
図６は、第１の実施形態に係る照明器具を模式的に表す断面図である。  
図１及び図６に表したように、器具本体１２は、筐体６０と、取付部材６１と、規制部材６２と、を含む。  
筐体６０は、長尺状の底板部７０と、底板部７０の幅方向の両端から延びる一対の側板部７１、７２と、を有する。筐体６０は、底板部７０と一対の側板部７１、７２とで囲まれた領域６０ａ内に光源モジュール１４の少なくとも一部を収容する。この例では、領域６０ａが、光源モジュール１４の一部を収容する。領域６０ａは、光源モジュール１４の全部を収容してもよい。
【００５６】
底板部７０は、領域６０ａ側を向く内面７０ａと、領域６０ａと反対側を向く外面７０ｂと、を有する。内面７０ａは、支持体２１の裏面３１ｂと対向する。より詳しくは、内面７０ａは、裏面３１ｂの全体と対向する。底板部７０も、Ｘ軸方向に延びる長尺状の板である。この例では、外面７０ｂが、内面７０ａと実質的に平行である。外面７０ｂは、内面７０ａと非平行でもよい。また、この例では、内面７０ａが、裏面３１ｂと実質的に平行である。内面７０ａは、裏面３１ｂと非平行でもよい。電源装置１５及び端子台１６は、例えば、領域６０ａ内に収容される。電源装置１５及び端子台１６は、例えば、内面７０ａに取り付けられる。
【００５７】
底板部７０には、開口７０ｃ、７０ｄが設けられている。開口７０ｃは、高さ方向において第１把持部５１と対向する位置に配置されている。開口７０ｄは、高さ方向において第２把持部５２と対向する位置に配置されている。この例では、光源モジュール１４の３つの保持部材２３のそれぞれに対応して、開口７０ｃ及び開口７０ｄが、それぞれ３つずつ設けられる。
【００５８】
側板部７１は、内面７０ａの幅方向の一端から内面７０ａの向く方向に延びる。側板部７２は、内面７０ａの幅方向の他端から内面７０ａの向く方向に延びる。この例では、各側板部７１、７２が、内面７０ａに対して実質的に垂直な方向に延びる。すなわち、この例では、各側板部７１、７２が、高さ方向に延びる。各側板部７１、７２は、内面７０ａに対して傾斜していてもよい。側板部７１は、例えば、幅方向において第１把持部５１と対向する。側板部７２は、例えば、幅方向において第２把持部５２と対向する。
【００５９】
取付部材６１は、幅方向において互いに対向する一対の係合部６１ａ、６１ｂを有する。取付部材６１は、領域６０ａ内に収容された光源モジュール１４に一対の係合部６１ａ、６１ｂを係合させる。取付部材６１は、例えば、各係合部６１ａ、６１ｂを光源モジュール１４の各爪部５１ｂ、５２ｂに係合させる。これにより、取付部材６１は、光源モジュール１４を筐体６０に取り付ける。換言すれば、取付部材６１は、光源モジュール１４の領域６０ａから抜ける方向への移動を規制する。
【００６０】
このように、器具本体１２は、取付部材６１の各係合部６１ａ、６１ｂを各爪部５１ｂ、５２ｂに係合させることによって、光源モジュール１４を支持する。この例では、光源モジュール１４に３つの保持部材２３が設けられている。このため、この例では、３つの取付部材６１が器具本体１２に設けられている。各取付部材６１は、筐体６０において、光源モジュール１４の各保持部材２３に対応する位置に取り付けられている。器具本体１２は、各取付部材６１を各保持部材２３のそれぞれの各爪部５１ｂ、５２ｂに係合させて、光源モジュール１４を支持する。
【００６１】
取付部材６１は、底板部７０に取り付けられる。この例では、取付部材６１が、外面７０ｂに取り付けられている。取付部材６１は、底板部７０に沿う第１延在部６１ｃと、側板部７１に沿う第２延在部６１ｄと、側板部７２に沿う第３延在部６１ｅと、を有する。取付部材６１は、例えば、略Ｕ字状に折り曲げられた板状の部材である。この例では、第２延在部６１ｄが、開口７０ｃを介して領域６０ａ内に入り込んでいる。そして、第３延在部６１ｅが、開口７０ｄを介して領域６０ａ内に入り込んでいる。
【００６２】
なお、第２延在部６１ｄは、高さ方向に延びる成分を少なくとも有していればよい。すなわち、第２延在部６１ｄは、側板部７１と非平行でもよい。同様に、第３延在部６１ｅは、高さ方向に延びる成分を少なくとも有していればよい。第３延在部６１ｅは、側板部７２と非平行でもよい。
【００６３】
一方の係合部６１ａは、例えば、第２延在部６１ｄの端部を内側（第１延在部６１ｃ側）に向けて折り曲げることで形成される。他方の係合部６１ｂは、例えば、第３延在部６１ｅの端部を内側（第１延在部６１ｃ側）に向けて折り曲げることで形成される。取付部材６１は、各係合部６１ａ、６１ｂで光源モジュール１４を挟み、各係合部６１ａ、６１ｂを光源モジュール１４に係合させる。
【００６４】
また、第１爪部５１ｂは、表面３１ａと平行な平面に対し、表面３１ａの向く方向に傾斜している。同様に、第２爪部５２ｂは、表面３１ａと平行な平面に対し、表面３１ａの向く方向に傾斜している。すなわち、各爪部５１ｂ、５２ｂは、光の照射方向側に向かって傾斜している。これにより、例えば、係合部６１ａと第１爪部５１ｂとの係合の具合を高めることができる。例えば、係合部６１ｂと第２爪部５２ｂとの係合の具合を高めることができる。
【００６５】
なお、光源モジュール１４側の各係合部６１ａ、６１ｂと係合する被係合部の形状は、爪状に限定されない。光源モジュール１４側の被係合部の形状は、例えば、溝状でもよい。各係合部６１ａ、６１ｂの形状、及び、光源モジュール１４側の被係合部の形状は、互いに係合する任意の形状でよい。
【００６６】
この例では、第１延在部６１ｃを外面７０ｂに取り付け、底板部７０に設けられた各開口７０ｃ、７０ｄから各係合部６１ａ、６１ｂを領域６０ａ内に進入させている。これに限ることなく、例えば、各側板部７１、７２に開口を設け、側板部７１から係合部６１ａを領域６０ａ内に進入させ側板部７２から係合部６１ｂを領域６０ａ内に進入させてもよい。
【００６７】
但し、各側板部７１、７２から各係合部６１ａ、６１ｂを領域６０ａ内に進入させると、取付部材６１が外部に露出してしまう。従って、取付部材６１の各係合部６１ａ、６１ｂを底板部７０から領域６０ａ内に進入させる。これにより、例えば、照明器具１０の意匠性が損なわれることを抑制することができる。また、取付部材６１は、例えば、内面７０ａに取り付けてもよい。すなわち、取付部材６１は、領域６０ａ内に取り付けてもよい。
【００６８】
側板部７１の端部７１ａ及び側板部７２の端部７２ａのそれぞれは、内側に向けて略Ｕ字状に折り曲げられている。また、端部７１ａ及び端部７２ａは、領域６０ａの幅（幅方向の長さ）を狭めるように傾斜したテーパ状である。このように、端部７１ａ及び端部７２ａをテーパ状にすることにより、例えば、各爪部５１ｂ、５２ｂとの係合を解除する際に取付部材６１を弾性変形させるためのスペースを確保しつつ、室内側から取付部材６１などを視認し難くさせることができる。
【００６９】
端部７１ａには、切り欠き７１ｂが設けられている切り欠き７１ｂは、取付部材６１の係合部６１ａと対向する位置に配置される。端部７２ａには、切り欠き７２ｂが設けられている切り欠き７２ｂは、取付部材６１の係合部６１ｂと対向する位置に配置される。各切り欠き７１ｂ、７２ｂは、各取付部材６１に対応して設けられる。この例では、３つの切り欠き７１ｂ、７２ｂが、筐体６０に設けられる。
【００７０】
この例では、各端部７１ａ、７２ａを略Ｕ字状に折り曲げ、この折り曲げた部分に各切り欠き７１ｂ、７２ｂを設けることにより、各側板部７１、７２の先端部分に切れ込みが入らないようにしている。これにより、例えば、各切り欠き７１ｂ、７２ｂを設けた場合にも、筐体６０の強度の低下を抑えることができる。
【００７１】
例えば、切り欠き７１ｂに棒状の治具を挿し込んで、取付部材６１の係合部６１ａを押し、係合部６１ａを側板部７１側に寄せるように取付部材６１を弾性変形させる。これにより、第１爪部５１ｂと係合部６１ａとの係合状態が解除される。
【００７２】
切り欠き７２ｂに棒状の治具を挿し込んで、取付部材６１の係合部６１ｂを押し、係合部６１ｂを側板部７２側に寄せるように取付部材６１を弾性変形させる。これにより、第２爪部５２ｂと係合部６１ｂとの係合状態が解除される。
【００７３】
規制部材６２は、取付部材６１に対する光源モジュール１４の幅方向の位置を規制する。規制部材６２は、底板部７０に取り付けられる。この例では、規制部材６２が、外面７０ｂに取り付けられている。
【００７４】
規制部材６２は、底板部７０に沿う第４延在部６２ａと、側板部７１に沿う第５延在部６２ｂと、側板部７２に沿う第６延在部６２ｃと、を有する。規制部材６２は、例えば、略Ｕ字状に折り曲げられた板状の部材である。この例では、第５延在部６２ｂが、開口７０ｃを介して領域６０ａ内に入り込んでいる。そして、第６延在部６２ｃが、開口７０ｄを介して領域６０ａ内に入り込んでいる。
【００７５】
規制部材６２は、例えば、外面７０ｂの上に取り付けられる。取付部材６１は、規制部材６２の上に取り付けられる。より具体的には、取付部材６１は、規制部材６２の第４延在部６２ａの上に取り付けられる。このように、器具本体１２では、取付部材６１と規制部材６２とを、筐体６０に対して同じ外面７０ｂ側から取り付けることができる。これにより、例えば、照明器具１０の組立性を向上させることができる。なお、取付部材６１と規制部材６２とは、必ずしも重ねて取り付けなくてもよい。取付部材６１と規制部材６２とは、例えば、外面７０ｂの上に並べて取り付けてもよい。
【００７６】
取付部材６１と規制部材６２とは、同じ保持部材６４によって底板部７０に取り付けられる。保持部材６４は、例えば、取付部材６１及び規制部材６２の幅方向の中央付近に配置される。取付部材６１と規制部材６２とは、幅方向の中央付近で底板部７０に取り付けられる。保持部材６４には、例えば、ネジやリベットなどが用いられる。
【００７７】
このように、規制部材６２は、例えば、取付部材６１に対応して設けられる。この例では、３つの規制部材６２が器具本体１２に設けられている。各規制部材６２は、筐体６０において、光源モジュール１４の各保持部材２３及び各取付部材６１に対応する位置に取り付けられている。このように、器具本体１２は、長手方向の両端付近と、長手方向の中央付近と、に配置された３つの取付部材６１と規制部材６２とを含む。これにより、例えば、光源モジュール１４を適切に支持することができる。なお、規制部材６２の数は、必ずしも取付部材６１の数と同じでなくてもよい。
【００７８】
図７は、第１の実施形態に係る照明器具の一部を表す模式図である。  
図６及び図７に表したように、第５延在部６２ｂは、幅方向において光源モジュール１４の少なくとも一部と対向する。第５延在部６２ｂは、例えば、幅方向において第１把持部５１と対向する。第５延在部６２ｂの端部には、係合部６１ａを挿通するための切り欠き６２ｄが設けられている。第５延在部６２ｂは、例えば、切り欠き６２ｄの両側の部分において、第１爪部５１ｂと対向する。
【００７９】
第６延在部６２ｃは、幅方向において光源モジュール１４の少なくとも一部と対向する。第６延在部６２ｃは、例えば、幅方向において第２把持部５２と対向する。第６延在部６２ｃの端部には、係合部６１ｂを挿通するための切り欠き６２ｅが設けられている。第６延在部６２ｃは、例えば、切り欠き６２ｅの両側の部分において、第２爪部５２ｂと対向する。
【００８０】
第５延在部６２ｂと第６延在部６２ｃとの間の幅方向の距離は、例えば、第１爪部５１ｂと第２爪部５２ｂとの間の幅方向の距離と実質的に同じか、僅かに長い程度である。すなわち、規制部材６２は、各延在部６２ｂ、６２ｃで光源モジュール１４の各爪部５１ｂ、５２ｂの間の部分を挟む。第５延在部６２ｂと第１爪部５１ｂとの間の距離は、係合部６１ａと第１爪部５１ｂとの幅方向の重なり量（係合している部分の長さ）よりも短い。第６延在部６２ｃと第２爪部５２ｂとの間の距離は、係合部６１ｂと第２爪部５２ｂとの幅方向の重なり量よりも短い。
【００８１】
例えば、光源モジュール１４が外力などによって幅方向に移動したときに、各爪部５１ｂ、５２ｂが各延在部６２ｂ、６２ｃに当接する。これにより、光源モジュール１４の幅方向の位置が、規制部材６２によって規制される。例えば、光源モジュール１４の幅方向の位置ずれが、規制部材６２によって抑制される。
【００８２】
図８は、第１の実施形態に係る照明器具の一部を模式的に表す平面図である。  
図６〜図８に表したように、規制部材６２には、突起部６５が設けられている。突起部６５は、外面７０ｂと対向する第４延在部６２ａに設けられる。突起部６５は、第４延在部６２ａから領域６０ａと反対側の方向に向かって突出する。規制部材６２は、例えば、複数の突起部６５を有する。この例では、長手方向に並ぶとともに、幅方向に並ぶ４つの突起部６５が、規制部材６２に設けられている。突起部６５の数は、任意でよい。突起部６５は、１つでもよい。この例において、突起部６５は、半球状である。突起部６５の形状は、半球状に限ることなく、領域６０ａと反対側の方向に向かって突出する任意の形状でよい。突起部６５は、例えば、プレス加工によって形成される。
【００８３】
各突起部６５は、例えば、照明器具１０を天井に設置する際に、天井面に当接し、天井面と外面７０ｂとの間に所定の隙間を形成する。これにより、例えば、器具本体１２を天井面にネジ止めする際に、ケーブルやネジ頭などが天井面と外面７０ｂとの間に挟まり、器具本体１２が変形してしまうことを抑制することができる。
【００８４】
各突起部６５は、取付部材６１の近傍に配置される。突起部６５と取付部材６１との間の長手方向の距離Ｄ１は、例えば、３０ｍｍ以下である。すなわち、「取付部材６１の近傍」とは、距離Ｄ１が、３０ｍｍ以下であることをいう。
【００８５】
器具本体１２を天井板などにネジ止めする時、例えば、ネジを締め付け過ぎて、筐体６０を変形させてしまう場合がある。取付部材６１を係合させて光源モジュール１４を支持する場合に、筐体６０が変形してしまうと、例えば、取付部材６１と各爪部５１ｂ、５２ｂとの位置がずれる。これにより、光源モジュール１４が、器具本体１２に対して取り付け難くなったり、外し難くなったりしてしまう。
【００８６】
取付部材６１の近傍に突起部６５を設けることにより、取付部材６１の近傍における筐体６０の変形を抑えることができる。例えば、器具本体１２に対する光源モジュール１４の着脱を容易に行うことができる。例えば、天井などの取付対象に対する器具本体１２の取り付けを容易にできる。
【００８７】
また、この例では、取付部材６１が、長手方向に並ぶ２つの突起部６５の間に配置される。これにより、例えば、取付部材６１の近傍における筐体６０の変形をより適切に抑えることができる。
【００８８】
底板部７０には、突起部６６が設けられている。突起部６６は、外面７０ｂから領域６０ａと反対側の方向に向かって突出する。突起部６６は、例えば、プレス加工によって形成される。突起部６６の形状は、任意の形状でよい。底板部７０には、例えば、複数の突起部６６が設けられる。各突起部６６は、例えば、底板部７０の長手方向の端部付近に配置される。
【００８９】
各突起部６６の高さ方向の頂点の位置は、各突起部６５の高さ方向の頂点の位置と実質的に同じである（図６参照）。これにより、各突起部６５が天井面などに当接したときに、各突起部６６も天井面などに当接する。これにより、例えば、照明器具１０を天井などに設置する際の、筐体６０の長手方向の端部付近における変形を抑制することができる。例えば、筐体６０の長手方向における反りを抑制することができる。
【００９０】
底板部７０の長手方向の端部と突起部６６との間の長手方向の距離Ｄ２は、例えば、１０ｃｍ以下である。これにより、筐体６０の長手方向の端部付近における変形を適切に抑制することができる。
【００９１】
筐体６０には、例えば、鉄、アルミニウム、または、ステンレスなどの金属材料が用いられる。取付部材６１及び規制部材６２には、例えば、上記と同様の金属材料が用いられる。取付部材６１は、弾性を有する。取付部材６１は、例えば、取付バネである。より詳しくは、板バネである。規制部材６２の強度は、取付部材６１の強度よりも高い。例えば、規制部材６２の弾性係数は、取付部材６１の弾性係数よりも高い。規制部材６２では、例えば、幅方向の外力が加わった場合の延在部６２ｂ、６２ｃの変形を小さくする。これにより、例えば、光源モジュール１４の幅方向の位置を適切に規制することができる。筐体６０、取付部材６１及び規制部材６２には、例えば、樹脂材料などを用いてもよい。但し、筐体６０、取付部材６１及び規制部材６２に金属材料を用いることにより、例えば、これらの耐久性を高めることができる。
【００９２】
照明器具１０を天井に設置する場合には、例えば、各突起部６５、６６を天井面に当接させた状態で、器具本体１２を室内側から天井板などにネジ止めする。
【００９３】
器具本体１２には、例えば、光源モジュール１４の落下を抑制するための少なくとも２本のチェーン（図示は省略）が設けられている。例えば、２本のチェーンが、長手方向の両端付近に設けられる。光源モジュール１４の支持体２１の裏面３１ｂには、例えば、各チェーンに対応した複数のフックが設けられている。器具本体１２を天井にネジ止めした後、これらの各チェーンの端部を光源モジュール１４のフックに引っ掛けて、光源モジュール１４を吊るす。
【００９４】
光源モジュール１４を吊るした後、例えば、図示を省略したコネクタを接続することにより、光源モジュール１４と電源装置１５とを電気的に接続する。
【００９５】
配線の後、光源モジュール１４を長手方向周りに傾けた状態で支持体２１の第２部分３２側を領域６０ａ内に入れ、各保持部材２３のそれぞれの第１爪部５１ｂを、各取付部材６１のそれぞれの係合部６１ａに係合させる。この後、光源モジュール１４を水平に戻すようにして支持体２１の第３部分３３側を領域６０ａ内に入れ、各保持部材２３のそれぞれの第２爪部５２ｂを、各取付部材６１のそれぞれの係合部６１ｂに係合させる。
【００９６】
これにより、光源モジュール１４が器具本体１２に支持され、照明器具１０が天井に取り付けられる。なお、上記と反対に、各第２爪部５２ｂを各係合部６１ｂに係合させた後、各第１爪部５１ｂを各係合部６１ａに係合させてもよい。
【００９７】
例えば、規制部材６２を有していない照明器具では、光源モジュールや器具本体に対して幅方向の外力が加わった場合に、筐体が変形し、光源モジュールが幅方向に移動してしまうことがある。光源モジュールが幅方向に移動すると、取付部材と光源モジュールとの係合状態が解除され、光源モジュールが意図せず器具本体から外れてしまう。
【００９８】
これに対して、本実施形態に係る照明器具１０では、規制部材６２によって、光源モジュール１４の幅方向の位置が規制される。これにより、本実施形態に係る照明器具１０では、例えば、光源モジュールに対して幅方向の外力が加わった場合にも、光源モジュール１４が幅方向に移動してしまうことを抑制することができる。従って、光源モジュール１４が、意図せず器具本体１２から外れてしまうことを抑制することができる。
【００９９】
また、例えば、取付部材の近傍において、突起部を底板部（筐体）に設けた照明器具がある。この場合、例えば、筐体の寸法管理が難しくなってしまう。例えば、取付部材の取り付け位置の誤差が大きくなってしまう。このため、例えば、筐体の歩留まりが低下してしまう。
【０１００】
これに対して、本実施形態に係る照明器具１０では、規制部材６２に突起部６５を設けている。これにより、例えば、筐体６０の寸法精度を高めることができる。例えば、筐体６０の歩留まりを改善することができる。例えば、照明器具１０の製造コストを低下させることができる。
【０１０１】
さらに、本実施形態に係る照明器具１０では、取付部材６１と規制部材６２とを筐体６０に対して同じ方向から取り付けることができる。これにより、例えば、取付部材６１と規制部材６２との組み立ての作業性を向上させることができる。
【０１０２】
光源モジュール１４を器具本体１２から取り外す場合には、例えば、各第１爪部５１ｂと各係合部６１ａとのそれぞれの係合状態を解除した後、各第２爪部５２ｂと各係合部６１ｂとのそれぞれの係合状態を解除する。反対に、各第２爪部４２ｂと各端部１１４ｂとのそれぞれの係合状態を解除した後、各第１爪部４１ｂと各端部１１４ａとのそれぞれの係合状態を解除してもよい。
【０１０３】
図９は、第１の実施形態に係る照明器具の一部を模式的に表す部分断面図である。  
前述のように、取付部材６１は、幅方向の中央付近において外面７０ｂに取り付けられている。また、照明器具１０では、各突起部６５、６６により、外面７０ｂと取付面（例えば天井面）との間に隙間が空く。
【０１０４】
これにより、照明器具１０では、図９に表したように、切り欠き７１ｂに治具を挿し込んで、取付部材６１の係合部６１ａを押し、取付部材６１を弾性変形させた際に、取付部材６１の一部を外面７０ｂから離間させることができる。取付部材６１の一部を、取付面側に移動させることができる。
【０１０５】
これにより、例えば、第１爪部５１ｂと係合部６１ａとの係合を解除させ易くすることができる。換言すれば、係合の解除の操作性を向上させることができる。また、第１爪部５１ｂと係合部６１ａとの係合を解除する際に、取付部材６１の一部を取付面側に移動させることで、例えば、係合の解除に必要となる係合部６１ａの側板部７１側への移動量を少なくすることができる。従って、例えば、取付部材６１が取付面側に移動できないものに比べて、係合部６１ａと側板部７１との間の幅方向の距離を短くすることができる。例えば、筐体６０の幅をより狭くすることができる。
【０１０６】
図１０（ａ）〜図１０（ｃ）は、第１の実施形態に係る照明器具の一部を模式的に表す平面図である。  
図１０（ａ）に表したように、取付部材６１に突起部６７を設けてもよい。突起部６７の形状及び突起部６７の数は、任意で良い。突起部６７の高さ方向の頂点の位置は、例えば、突起部６５の高さ方向の頂点の位置、及び、突起部６６の高さ方向の頂点の位置と実質的に同じにする。これにより、例えば、筐体６０の変形をより抑えることができる。
【０１０７】
図１０（ｂ）に表したように、取付部材６１のみに突起部６７を設けてもよい。このように、突起部は、取付部材６１と規制部材６２との少なくとも一方に設ければよい。
【０１０８】
図１０（ｃ）に表したように、取付部材６１と規制部材６２とを、筐体６０の長手方向の端部付近に配置し、取付部材６１と規制部材６２との少なくとも一方に突起部を設けてもよい。例えば、筐体６０の長手方向の端部と、突起部６５（もしくは突起部６７）と、の間の長手方向の距離Ｄ３を、１０ｃｍ以下にする。これにより、例えば、筐体６０に突起部６６を設ける必要がなくなる。これにより、例えば、筐体６０の歩留まりをより高めることができる。
【０１０９】
（第２の実施形態）  
図１１は、第２の実施形態に係る照明器具を模式的に表す断面図である。  
図１１に表したように、照明器具１００では、規制部材１０２が、内面７０ａ上に取り付けられている。なお、照明器具１００において、上記第１の実施形態の照明器具１０と実質的に同じ部材については、同符号を付し、詳細な説明を省略する。
【０１１０】
規制部材１０２は、底板部７０に沿う第７延在部１０２ａと、側板部７１に沿う第８延在部１０２ｂと、側板部７２に沿う第９延在部１０２ｃと、を有する。規制部材１０２は、例えば、略Ｍ字状に折り曲げられた板状の部材である。
【０１１１】
第８延在部１０２ｂは、幅方向において光源モジュール１４の少なくとも一部と対向する。第８延在部１０２ｂは、例えば、幅方向において第１把持部５１と対向する。第９延在部１０２ｃは、幅方向において光源モジュール１４の少なくとも一部と対向する。第９延在部１０２ｃは、例えば、幅方向において第２把持部５２と対向する。
【０１１２】
第８延在部１０２ｂと第９延在部１０２ｃとの間の幅方向の距離は、例えば、第１把持部５１と第２把持部５２との内側部分の間の幅方向の距離と実質的に同じか、僅かに狭い程度である。規制部材１０２では、各延在部１０２ｂ、１０２ｃが、各把持部５１、５２の間に入り込む。
【０１１３】
第８延在部１０２ｂと第１把持部５１との間の距離は、係合部６１ａと第１爪部５１ｂとの幅方向の重なり量よりも短い。第９延在部１０２ｃと第２把持部５２との間の距離は、係合部６１ｂと第２爪部５２ｂとの幅方向の重なり量よりも短い。
【０１１４】
規制部材１０２では、光源モジュール１４が外力などによって幅方向に移動したときに、各把持部５１、５２が各延在部１０２ｂ、１０２ｃに当接する。これにより、規制部材１０２でも、光源モジュール１４の幅方向の位置を規制することができる。このように、規制部材１０２は、底板部７０の内面７０ａ上に取り付けてもよい。
【０１１５】
取付部材６１と規制部材１０２とは、同じ保持部材６４によって底板部７０に取り付けられる。保持部材６４は、例えば、取付部材６１及び規制部材１０２の幅方向の中央付近に配置される。取付部材６１と規制部材１０２とは、幅方向の中央付近で底板部７０に取り付けられる。
【０１１６】
但し、上記第１の実施形態で表したように、規制部材６２を外面７０ｂ上に取り付ける。これにより、例えば、取付部材６１と規制部材６２とを同じ方向から底板部７０に取り付けることができ、取り付けの作業性を向上させることができる。また、規制部材６２に突起部６５を設けることができ、筐体６０の歩留まりを向上させることができる。
【０１１７】
上記各実施形態では、器具本体１２が支持する取付対象物として、光源モジュール１４を示している。取付対象物は、光源モジュール１４に限ることなく、器具本体１２の支持可能な任意の部材でよい。例えば、カバー２２を取付対象物として器具本体１２に支持させてもよい。この場合、例えば、基板２５と光源２６とを器具本体１２に取り付けてもよい。すなわち、光源２６は、器具本体１２側に設けてもよいし、取付対象物側に設けてもよい。
【０１１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１９】
１０、１００…照明器具、１２…器具本体、１４…光源モジュール（取付対象物）、１５…電源装置、１６…端子台、２１…支持体、２２…カバー、２３…保持部材、２５…基板、２６…光源、２７、２８…側板、３１…第１部分、３２…第２部分、３３…第３部分、４０…本体部、４１…第１当接部、４２…第２当接部、４３…第１係合部、４４…第２係合部、５０…対向部、５１…第１把持部、５２…第２把持部、５３…第１ストッパ部、５４…第２ストッパ部、６０…筐体、６０ａ…領域、６１…取付部材、６１ａ、６１ｂ…係合部、６２、１０２…規制部材、６４…保持部材、６５、６６、６７…突起部、７０…底板部、７１、７２…側板部
【図１】
2015035274.tif 000003
【図２】
2015035274.tif 000004
【図３】
2015035274.tif 000005
【図４】
2015035274.tif 000006
【図５】
2015035274.tif 000007
【図６】
2015035274.tif 000008
【図７】
2015035274.tif 000009
【図８】
2015035274.tif 000010
【図９】
2015035274.tif 000011
【図１０】
2015035274.tif 000012
【図１１】
2015035274.tif 000013